(57)【特許請求の範囲】
【請求項１】
デジタル値の入力信号にフェージング効果を付加して出力するフェージングシミュレータ（２０）であって、
前記入力信号のサンプル数をカウントしたカウント値と、予め定められた前記入力信号のフレーム長のデータとから前記入力信号のフレーム位置を検出するフレーム位置検出手段（４０）と、
前記入力信号のフレーム位置を検出したことを条件に前記フェージング効果を付加する設定を切り替える切替手段（７０）と、
を備えたことを特徴とするフェージングシミュレータ。
【請求項２】
前記入力信号のフレーム位置を検出したタイミングを予め定められた時間オフセットさせるオフセット手段（３０）をさらに備えたことを特徴とする請求項１に記載のフェージングシミュレータ。
【請求項３】
前記フェージング効果を付加するための複数のフェージング設定データを記憶するフェージング設定データ記憶手段（６０）をさらに備え、
前記切替手段は、前記フェージング設定データ記憶手段からフェージング設定データを順次読み出して切り替える処理を繰り返すものであることを特徴とする請求項１又は請求項２に記載のフェージングシミュレータ。
【請求項４】
請求項１から請求項３までのいずれか１項に記載のフェージングシミュレータ（２０）と、
デジタル値の信号を前記フェージングシミュレータに出力する基地局模擬装置（１０）と、
を備え、
前記基地局模擬装置は、
デジタル値の信号を前記フェージングシミュレータに出力するデジタル信号出力手段（１１）と、
前記フェージングシミュレータから前記フェージング効果が付加された信号を入力して試験対象の移動通信端末（２）に送信する送信手段（１２）と、
前記フェージング効果が付加された信号に対して前記移動通信端末が送信する信号を受信する受信手段（１４）と、
前記受信手段が受信した信号を測定する測定手段（１５）と、
を備えたことを特徴とする移動通信端末試験システム（１）。
【請求項５】
前記デジタル信号出力手段は、前記デジタル値の信号を前記測定手段に出力するものであり、
前記測定手段は、前記フェージング効果を付加する設定の切り替えが発生したフレームを除外して、前記デジタル値の信号と、前記受信手段が受信した信号とを照合してエラーレートを算出するものであることを特徴とする請求項４に記載の移動通信端末試験システム。
【請求項６】
前記測定手段は、前記移動通信端末が送信した受信成功の可否を示す信号を前記受信手段から受け、前記フェージング効果を付加する設定の切り替えが発生したフレームを除外して、前記受信成功の可否を示す信号に基づいて受信成功率を算出するものであることを特徴とする請求項４に記載の移動通信端末試験システム。
【請求項７】
デジタル値の入力信号にフェージング効果を付加して出力するフェージングシミュレータ（２０）を用いたフェージングシミュレーション方法であって、
前記入力信号のサンプル数をカウントしたカウント値と、予め定められた前記入力信号のフレーム長のデータとから前記入力信号のフレーム位置を検出するフレーム位置検出ステップ（Ｓ１４）と、
前記入力信号のフレーム位置を検出したことを条件に前記フェージング効果を付加する設定を切り替える切替ステップ（Ｓ１９）と、
を含むことを特徴とするフェージングシミュレーション方法。
【発明の詳細な説明】
【技術分野】
【０００１】
本発明は、例えば携帯電話やモバイル端末等の移動通信端末に対して電波伝搬環境を模擬するフェージングシミュレータ、移動通信端末試験システム及びフェージングシミュレーション方法に関する。
【背景技術】
【０００２】
近年、携帯電話やモバイル端末等の移動通信端末が急速に発達している。基地局から移動通信端末に到達する電波は、その伝搬経路の地形や構造物などによる反射、散乱、あるいは回折などにより多重波になり、電波の振幅及び位相は場所によってランダムに変化する。この伝搬経路内を移動しながら基地局からの電波を受信する場合には、電波のマルチパス伝搬によるフェージングが生じる。その結果、デジタル方式の通信環境では符号誤りが増大し、伝送品質が大きく劣化する。そのため、移動通信端末の通信性能を評価する際には、基地局を模擬した基地局擬似装置とともに電波伝搬環境を模擬するフェージングシミュレータと呼ばれる装置が利用されている。
【０００３】
複数の電波伝搬環境下での試験を複数のパラメータの変更により連続的に行う際には、基地局擬似装置と移動通信端末との間での接続を維持したままフェージングシミュレータの動作を変更できることが望ましい。このため、例えば、特許文献１に記載されたフェージングシミュレータが提案されている。
【０００４】
特許文献１記載のフェージングシミュレータは、入力信号に対して伝送路を模擬する処理を施し、入力信号について得られる最初の有効な処理結果から順次出力する信号処理部と、入力信号に対する蓄積を行い、信号処理部から最初の有効な処理結果が出力されるタイミングに合わせて、蓄積した入力信号の読出しを開始する信号バイパス部と、信号処理部の出力又は信号バイパス部の出力のいずれかを選択的に出力する信号選択部と、信号処理部に対するパラメータ又は機能の変更処理を行っている期間を除く期間には信号処理部の出力を信号選択部から出力させ、変更処理を行っている期間は、信号バイパス部から読出された信号を信号選択部から出力させる制御部と、を備えている。
【０００５】
この構成により、特許文献１記載のものは、信号処理部が入力信号について得られる最初の有効な処理結果データの出力タイミングを信号バイパス部に通知し、そのタイミングに合わせて信号バイパス部が蓄積していた入力信号の読出しを開始するので、信号バイパス部の遅延を信号処理部と同等の遅延に自動で合わせることができ、パラメータの変更の際に信号を途切れさせることがなくなる。
【先行技術文献】
【特許文献】
【０００６】
【特許文献１】特開２００９−１８８９３２号公報
【発明の概要】
【発明が解決しようとする課題】
【０００７】
ところで、移動通信においては、通信データを時間軸方向で区分した通信データ単位が規定されるのが一般的である。この通信データ単位は、フレーム、サブフレーム、スロット等と呼称され、移動通信端末の評価の際も、この通信データ単位（以後、フレームと呼ぶ。）を基準として測定が行われる場合がある。例えばスループット測定においては、フレーム毎の受信成功の可否を判断する。一方で、前述したフェージングの設定変更を行うと、その変更の際の試験信号の振幅、位相等の成分に不連続性が生じ、正確な測定ができないおそれがある。したがって、前述したフェージングの設定変更も、フレームと同期して行われるのが望ましい。
【０００８】
しかしながら、特許文献１記載のものは、フレームとは非同期でフェージングの設定変更が行われるため、測定対象のフレームの途中でフェージングの設定変更が行われてしまい、このフレームについて正確な測定ができず、移動通信端末の通信性能の評価が正確に得られないという課題があった。
【０００９】
本発明は、前述の事情に鑑みてなされたもので、フレームと同期してフェージングの設定変更を行うことにより、移動通信端末の通信性能の評価の精度を向上することができるフェージングシミュレータ、移動通信端末試験システム及びフェージングシミュレーション方法を提供することを目的とする。
【課題を解決するための手段】
【００１０】
本発明の請求項１に係るフェージングシミュレータは、デジタル値の入力信号にフェージング効果を付加して出力するフェージングシミュレータ（２０）であって、前記入力信号のサンプル数をカウントしたカウント値と、予め定められた前記入力信号のフレーム長のデータとから前記入力信号のフレーム位置を検出するフレーム位置検出手段（４０）と、前記入力信号のフレーム位置を検出したことを条件に前記フェージング効果を付加する設定を切り替える切替手段（７０）と、を備えた構成を有している。
【００１１】
この構成により、本発明の請求項１に係るフェージングシミュレータは、入力信号のフレーム位置を検出したタイミングでフェージング効果を付加する設定を切り替えるので、移動通信端末の通信性能の評価の精度を向上させることができる。
【００１２】
本発明の請求項２に係るフェージングシミュレータは、前記入力信号のフレーム位置を検出したタイミングを予め定められた時間オフセットさせるオフセット手段（３０）をさらに備えた構成を有している。
【００１３】
この構成により、本発明の請求項２に係るフェージングシミュレータは、オフセット手段によるオフセットの設定により、フェージング設定の切り替えの時間的位置を任意の位置にセットすることができる。
【００１４】
本発明の請求項３に係るフェージングシミュレータは、前記フェージング効果を付加するための複数のフェージング設定データを記憶するフェージング設定データ記憶手段（６０）をさらに備え、前記切替手段は、前記フェージング設定データ記憶手段からフェージング設定データを順次読み出して切り替える処理を繰り返すものである構成を有している。
【００１５】
この構成により、本発明の請求項３に係るフェージングシミュレータは、フェージング設定データ記憶手段からフェージング設定データを順次読み出して切り替える処理を繰り返すことができる。
【００１６】
本発明の請求項４に係る移動通信端末試験システムは、フェージングシミュレータ（２０）と、デジタル値の信号を前記フェージングシミュレータに出力する基地局模擬装置（１０）と、を備え、前記基地局模擬装置は、デジタル値の信号を前記フェージングシミュレータに出力するデジタル信号出力手段（１１）と、前記フェージングシミュレータから前記フェージング効果が付加された信号を入力して試験対象の移動通信端末（２）に送信する送信手段（１２）と、前記フェージング効果が付加された信号に対して前記移動通信端末が送信する信号を受信する受信手段（１４）と、前記受信手段が受信した信号を測定する測定手段（１５）と、を備えた構成を有している。
【００１７】
この構成により、本発明の請求項４に係る移動通信端末試験システムは、測定手段により、受信手段が受信した信号を測定することができる。
【００１８】
本発明の請求項５に係る移動通信端末試験システムは、前記デジタル信号出力手段は、前記デジタル値の信号を前記測定手段に出力するものであり、前記測定手段は、前記フェージング効果を付加する設定の切り替えが発生したフレームを除外して、前記デジタル値の信号と、前記受信手段が受信した信号とを照合してエラーレートを算出するものである構成を有している。
【００１９】
この構成により、本発明の請求項５に係る移動通信端末試験システムは、精度を向上したエラーレートを算出することができる。
【００２０】
本発明の請求項６に係る移動通信端末試験システムは、前記測定手段は、前記移動通信端末が送信した受信成功の可否を示す信号を前記受信手段から受け、前記フェージング効果を付加する設定の切り替えが発生したフレームを除外して、前記受信成功の可否を示す信号に基づいて受信成功率を算出するものである構成を有している。
【００２１】
この構成により、本発明の請求項６に係る移動通信端末試験システムは、精度を向上した受信成功率を算出することができる。
【００２２】
本発明の請求項７に係るフェージングシミュレーション方法は、デジタル値の入力信号にフェージング効果を付加して出力するフェージングシミュレータ（２０）を用いたフェージングシミュレーション方法であって、前記入力信号のサンプル数をカウントしたカウント値と、予め定められた前記入力信号のフレーム長のデータとから前記入力信号のフレーム位置を検出するフレーム位置検出ステップ（Ｓ１４）と、前記入力信号のフレーム位置を検出したことを条件に前記フェージング効果を付加する設定を切り替える切替ステップ（Ｓ１９）と、を含む構成を有している。
【００２３】
この構成により、本発明の請求項７に係るフェージングシミュレーション方法は、入力信号のフレーム位置を検出したタイミングでフェージング効果を付加する設定を切り替えるので、移動通信端末の通信性能の評価の精度を向上させることができる。
【発明の効果】
【００２４】
本発明は、移動通信端末の通信性能の評価の精度を向上させることができるという効果を有するフェージングシミュレータ、移動通信端末試験システム及びフェージングシミュレーション方法を提供することができるものである。
【図面の簡単な説明】
【００２５】
【図１】本発明に係る移動通信端末試験システムの第１実施形態におけるブロック構成図である。
【図２】本発明に係る移動通信端末試験システムの第１実施形態におけるフェージングシミュレータのブロック構成図である。
【図３】本発明に係る移動通信端末試験システムの第１実施形態におけるフェージング設定の説明図である。
【図４】本発明に係る移動通信端末試験システムの第１実施形態におけるメインフローチャートである。
【図５】本発明に係る移動通信端末試験システムの第１実施形態において、フェージングシミュレーション信号出力処理のフローチャートである。
【図６】本発明に係る移動通信端末試験システムの第１実施形態におけるフェージングシミュレータの動作を示すタイミングチャートである。
【図７】本発明に係る移動通信端末試験システムの第１実施形態におけるオフセット長の説明図である。
【図８】本発明に係る移動通信端末試験システムの第１実施形態におけるオフセット長を設けた際の効果の説明図である。
【図９】本発明に係る移動通信端末試験システムの第１実施形態におけるスループット測定のフローチャートである。
【図１０】本発明に係る移動通信端末試験システムの第１実施形態におけるビットエラーレート測定のフローチャートである。
【図１１】本発明に係るフェージングシミュレータの第２実施形態におけるブロック構成図である。
【図１２】本発明に係るフェージングシミュレータの第２実施形態において、オフセット長の変更を説明するためのタイミングチャートである。
【発明を実施するための形態】
【００２６】
以下、本発明の実施形態について図面を用いて説明する。
【００２７】
（第１実施形態）
まず、本発明に係る移動通信端末試験システムの第１実施形態における構成について説明する。なお、前述の通信データ単位について、本発明ではフレームと呼称する。
【００２８】
図１に示すように、本実施形態における移動通信端末試験システム１は、移動通信端末２の移動時における受信性能を評価するものであって、基地局模擬装置１０、フェージングシミュレータ２０を備えている。
【００２９】
基地局模擬装置１０は、試験信号発生部１１、送信部１２、デジタルベースバンドインタフェース（デジタルＢＢＩＦ）１３、受信部１４、測定部１５を備えている。この基地局模擬装置１０は、例えば同軸ケーブルを介して、移動通信端末２に接続されている。
【００３０】
試験信号発生部１１は、デジタル値のベースバンド信号を記憶又は生成し、このベースバンド信号をデジタルＢＢＩＦ１３経由でフェージングシミュレータ２０に出力するようになっている。この試験信号発生部１１は、本発明に係るデジタル信号出力手段を構成する。
【００３１】
送信部１２は、フェージングシミュレータ２０によってフェージング効果が付加されたベースバンド信号を入力し、所定のＲＦ（無線周波数）信号にアップコンバートして移動通信端末２に出力するようになっている。
【００３２】
デジタルＢＢＩＦ１３は、基地局模擬装置１０とフェージングシミュレータ２０との間の信号の入出力を、デジタル信号を用いて行うようになっている。
【００３３】
受信部１４は、移動通信端末２から受信した信号を測定部１５に出力するようになっている。
【００３４】
測定部１５は、移動通信端末２から受信した信号に基づいて、例えば、スループットの測定、ＢＥＲ（Bit Error Rate）の測定を行って、測定結果を表示部（図示せず）に表示するようになっている。
【００３５】
図２に、フェージングシミュレータ２０の詳細なブロック構成図を示す。図２に示すように、フェージングシミュレータ２０は、操作部２１、設定部２２、表示部２３、オフセットタイミング生成部３０、フレームタイミング生成部４０、設定変更サイクル生成部５０、フェージング設定バッファ部６０、フェージング選択部７０、フェージング演算部２４を備えている。
【００３６】
このフェージングシミュレータ２０は、試験者が設定した各種のフェージング効果を入力信号に付加するためのパラメータ（例えば、遅延、減衰、散乱等の設定パラメータ）による設定（以下「フェージング設定」という。）によって定められる各種の信号を順次、予め定められた回数又は時間だけ繰り返しながら基地局模擬装置１０を介して移動通信端末２に出力するようになっている。本実施形態では、フェージング設定をＰとおりとし、フェージング設定＃１〜＃Ｐで示す。
【００３７】
図３に示すように、フェージングシミュレータ２０は、フェージング設定＃１〜＃Ｐの各種のフェージング効果が入力信号に付加された信号を、順次、例えば１０時間連続して繰り返しながら基地局模擬装置１０を介して移動通信端末２に出力するものである。
【００３８】
操作部２１は、移動通信端末２の試験における各試験条件の入力や、表示部２３の表示内容を設定するため、試験者が操作するものであって、例えば、キーボード、ダイヤル又はマウスのような入力デバイス、これらを制御する制御回路やソフトウェア等で構成されている。
【００３９】
操作部２１に入力される試験条件としては、例えば、試験信号の通信方式、フェージング設定＃１〜＃Ｐの各パラメータ設定値、オフセット長、設定変更サイクル等である。
【００４０】
ここで、オフセット長は、基地局模擬装置１０からフレームごとに入力する所定のフレーム信号の開始位置に対して、フェージング設定の変更タイミングを設定する時間的位置を表したものである。このオフセット長は、入力信号をサンプリングした場合のサンプル数で表すことができる。ただし、オフセット長を時間で表してもよい。
【００４１】
設定変更サイクルは、フェージング設定＃１〜＃Ｐの各種のフェージング効果が入力信号に付加された信号を移動通信端末２に出力する各時間長である。例えば、フェージング設定＃１では２００ミリ秒、フェージング設定＃２では３００ミリ秒、といった時間長である。この時間長は、フェージング設定＃１〜＃Ｐにおいて同じであってもよいし、互いに異なっていてもよく、試験内容に応じて試験者が、設定されたフレーム長を最小分解能として任意に設定できる。
【００４２】
設定部２２は、試験者が操作部２１を操作することによって入力したフェージング設定の情報をフェージング設定バッファ部６０に出力するようになっている。また、設定部２２は、試験者が操作部２１を操作した情報を表示部２３に出力するようになっている。
【００４３】
さらに、設定部２２は、操作部２１によって試験信号の通信方式が指定されると、その通信方式の規格により１フレーム長のサンプル数を求め、フレーム長のデータとしてフレームタイミング生成部４０に出力するようになっている。ここで、フレーム長は、サンプル数又は時間で表される。設定部２２は、フレーム長が時間で表される場合は、サンプル数に変換する。
【００４４】
フレーム長のデータは、試験者が操作部２１を操作して直接入力されて設定部２２から出力される場合や、試験者が試験信号の通信方式を指定したことにより設定部２２がその通信方式に応じたフレーム長のデータを出力する場合がある。また、通信方式によっては、前述の通信データ単位が複数種類規定されている。その場合、どの通信データ単位を用いるかを試験者が選択できるようになっていてもよい。例えば、試験者が試験信号の通信方式をＬＴＥ（Long Term Evolution）に指定し、フレーム／サブフレーム／スロット／の通信データ単位からフレームを選択した場合は、設定部２２はフレーム長＝１０ｍｓのデータをフレームタイミング生成部４０に出力する。
【００４５】
表示部２３は、試験者が操作部２１を操作した情報を表示するとともに、フェージング試験の動作状態を表示するようになっている。
【００４６】
オフセットタイミング生成部３０は、オフセットカウンタ３１、オフセット判定部３２を備えている。このオフセットタイミング生成部３０は、本発明に係るオフセット手段を構成する。
【００４７】
オフセットカウンタ３１は、基地局模擬装置１０から入力する入力信号のサンプル数をカウントするようになっている。カウントしたサンプル数のデータは、オフセット判定部３２に入力される。
【００４８】
オフセット判定部３２は、オフセットカウンタ３１がカウントしたサンプルのカウント数のデータと、設定部２２が設定したオフセット長を示すデータとを入力するようになっている。そして、オフセット判定部３２は、オフセットカウンタ３１がカウントしたサンプルのカウント数と、設定部２２が設定したオフセット長に相当するサンプル数とを比較して、オフセットカウンタ３１がカウントしたサンプル数がオフセット長相当になったとき、フレームカウントを開始するためのフレームカウント開始信号をフレームタイミング生成部４０に出力するようになっている。
【００４９】
フレームタイミング生成部４０は、サンプルカウンタ４１、フレーム判定部４２を備えている。このフレームタイミング生成部４０は、本発明に係るフレーム位置検出手段を構成する。
【００５０】
サンプルカウンタ４１は、オフセット判定部３２からフレームカウント開始信号を入力したとき、基地局模擬装置１０から入力する入力信号からフレーム長を検出するためのサンプル数をカウントするようになっている。このサンプル数のデータは、フレーム判定部４２に入力される。
【００５１】
フレーム判定部４２は、サンプルカウンタ４１がカウントしたサンプルのカウント数のデータと、設定部２２が設定したフレーム長を示すデータとを入力するようになっている。
【００５２】
フレーム判定部４２は、サンプルカウンタ４１がカウントしたサンプル数と、設定部２２が設定したフレーム長に相当するサンプル数とを比較して、サンプル数がフレーム長相当になる度に、フレーム位置を示すフレームパルスを設定変更サイクル生成部５０に出力するようになっている。また、フレーム判定部４２は、フレームパルスを出すタイミングでサンプルカウンタ４１のカウンタ値（サンプル数）をクリアする信号をサンプルカウンタ４１に出力するようになっている。
【００５３】
設定変更サイクル生成部５０は、サイクルカウンタ５１、設定変更サイクル判定部５２を備えている。
【００５４】
サイクルカウンタ５１は、フレーム判定部４２が出力するフレームパルス数をカウントするようになっている。
【００５５】
設定変更サイクル判定部５２は、サイクルカウンタ５１がカウントしたフレームパルスのカウント数のデータと、設定部２２が設定した設定変更サイクル値のデータとを入力するようになっている。そして、設定変更サイクル判定部５２は、サイクルカウンタ５１がカウントしたフレームパルスのカウント数が設定変更サイクル値相当になったとき、設定変更パルスをフェージング選択部７０に出力するようになっている。
【００５６】
フェージング設定バッファ部６０は、フェージング設定＃１〜＃Ｐを示すデータをそれぞれ一時的に記憶するフェージング設定バッファ部６１〜６Ｐを備えている。このフェージング設定バッファ部６０は、本発明に係るフェージング設定データ記憶手段を構成する。
【００５７】
フェージング選択部７０は、設定変更カウンタ７１、セレクタ７２を備えている。このフェージング選択部７０は、本発明に係る切替手段を構成する。
【００５８】
設定変更カウンタ７１は、設定変更サイクル判定部５２から入力する設定変更パルス数をカウントするようになっている。
【００５９】
セレクタ７２は、設定変更カウンタ７１からの信号に基づいて、フェージング設定バッファ部６１〜６Ｐのいずれか１つを選択し、選択したフェージング設定バッファに一時記憶されているフェージング設定のデータをフェージング演算部２４に出力するようになっている。
【００６０】
フェージング演算部２４は、フェージング選択部７０が選択したフェージング設定のデータと、基地局模擬装置１０からのベースバンド信号とを入力するようになっている。そして、フェージング演算部２４は、基地局模擬装置１０から入力する入力信号に、フェージング選択部７０が選択したフェージング設定で示されるフェージング効果を付加して出力するようになっている。
【００６１】
次に、本実施形態における移動通信端末試験システム１の動作について図４〜図９を用いて説明する。
【００６２】
図４に示すように、移動通信端末試験システム１は、フェージングシミュレータ２０が基地局模擬装置から信号を入力（ステップＳ１）した後、フェージングシミュレーション信号出力処理（ステップＳ１０）、測定処理（ステップＳ３０）を実行する。
【００６３】
まず、ステップＳ１０のフェージングシミュレーション信号出力処理について、図５を用いて説明する。
【００６４】
オフセットカウンタ３１は、基地局模擬装置１０から入力する入力信号のサンプル数をカウントする（ステップＳ１１）。
【００６５】
オフセット判定部３２は、オフセットカウンタ３１がカウントしたサンプルのカウント数のデータと、設定部２２が設定したオフセット長を示すデータとを入力する。そして、オフセット判定部３２は、オフセットカウンタ３１がカウントしたサンプルのカウント数がオフセット長相当になったとき、フレームカウント開始信号をフレームタイミング生成部４０に出力する（ステップＳ１２）。
【００６６】
サンプルカウンタ４１は、オフセット判定部３２からフレームカウント開始信号を入力したとき、基地局模擬装置１０から入力する入力信号からフレーム長を検出するためのサンプル数をカウントする（ステップＳ１３）。
【００６７】
フレーム判定部４２は、サンプルカウンタ４１がカウントしたサンプル数のデータと、設定部２２が設定したフレーム長を示すデータとを入力する。また、フレーム判定部４２は、サンプルカウンタ４１がカウントしたサンプル数と、フレーム長に相当するサンプル数とを比較して、サンプルのカウント数がフレーム長相当になる度に、フレームパルスを設定変更サイクル生成部５０に出力する（ステップＳ１４）。
【００６８】
また、フレーム判定部４２は、フレームパルスを出すタイミングでサンプルカウンタ４１のカウンタ値（サンプル数）をクリアする（ステップＳ１５）。
【００６９】
サイクルカウンタ５１は、フレーム判定部４２が出力するフレームパルス数をカウントする（ステップＳ１６）。
【００７０】
設定変更サイクル判定部５２は、サイクルカウンタ５１がカウントしたフレームパルスのカウント数のデータと、設定部２２が設定した設定変更サイクル値のデータとを入力する。そして、設定変更サイクル判定部５２は、サイクルカウンタ５１がカウントしたフレームパルスのカウント数が設定変更サイクル値相当になったら設定変更パルスをフェージング選択部７０に出力する（ステップＳ１７）。
【００７１】
設定変更カウンタ７１は、設定変更サイクル判定部５２から入力する設定変更パルス数をカウントする（ステップＳ１８）。
【００７２】
セレクタ７２は、設定変更カウンタ７１のカウント値に応じて、フェージング設定バッファ部６１〜６Ｐのいずれか１つを選択する（ステップＳ１９）。例えば、セレクタ７２は、カウント値＝１の場合（初期値）はフェージング設定バッファ部６１を選択、カウント値＝２の場合はフェージング設定バッファ部６２を選択、・・・カウント値＝Ｐの場合はフェージング設定バッファ部６Ｐを選択する。なお、カウント値＝Ｐの次はカウント値＝１（初期値）に戻る。
【００７３】
フェージング演算部２４は、フェージング選択部７０が選択したフェージング設定のデータと、基地局模擬装置１０から入力するベースバンド信号とを入力する。そして、フェージング演算部２４は、基地局模擬装置１０からのベースバンド信号に、フェージング選択部７０が選択したフェージング設定で示されるフェージング効果を付加して出力する（ステップＳ２０）。
【００７４】
次に、フェージングシミュレータ２０の動作を、図６、図７に示すタイミングチャートに基づき説明する。
【００７５】
図６に示すように、オフセットカウンタ３１でサンプル数をカウントし、サンプル数がオフセット長相当になったらフレームカウント開始信号が出力される。
【００７６】
フレームカウント開始信号が出力された時刻以降では、サンプルカウンタ４１がカウントするサンプル数がフレーム長相当になる度にフレームパルスが出力される。
【００７７】
サイクルカウンタ５１がフレームパルス数をカウントし、フレームパルス数が設定変更サイクル値相当になったら設定変更パルスを設定変更サイクル判定部５２が出力する。設定変更カウンタ７１は設定変更パルスをカウントし、セレクタ７２は設定変更パルス数に応じてフェージング設定バッファの１つを選択する。
【００７８】
図示の例では、設定変更カウンタ７１の値を、初期値の「１」から「Ｐ」までとし、セレクタ７２は、設定変更カウンタ７１の値に応じてフェージング設定バッファ６１（フェージング設定＃１）からフェージング設定バッファ６Ｐ（フェージング設定＃Ｐ）までを順次選択している。設定変更カウンタ７１の値が「Ｐ」になると初期値に戻って以降繰り返す。
【００７９】
図７は、オフセット長の説明図である。図７の上段に示すように、オフセット長＝０の場合は、信号のフレームタイミングと、フェージング設定を変更するタイミングとが一致している。
【００８０】
一方、図７の下段に示すように、オフセット長≠０の場合は、入力信号のフレームタイミングに対して、フェージング設定を変更するタイミングがオフセット長分だけずれている。このオフセット長は、前述のように試験者が任意の値に設定できるものである。
【００８１】
次に、オフセット長を設けた際の効果について、図８を用いて説明する。
【００８２】
図８（ａ）は、フェージング設定＃１からフェージング設定＃２に切り替わる際の、オフセット長＝０の場合を示しており、フレーム信号８１と８２との接続箇所、すなわちフレーム信号８２の先頭でフェージング設定を切り替えている。
【００８３】
フェージング演算部２４の構成によっては、フェージング設定を切り替える切替時間はゼロにはならない場合がある。この切替時間は、例えばマイクロ秒のオーダである。切替時間を仮に１００μｓとすると、通信方式がＬＴＥの場合、この切替時間は１〜２シンボルに相当する。図８（ａ）に示したように、フレーム信号８１と８２との間でフェージング設定を切り替える場合は、フェージング設定の切替処理が両方のフレーム信号に影響を与え、２つのフレームにまたがってエラーを生じる。
【００８４】
そこで、図８（ｂ）に示すように、フレーム信号８２の先頭からオフセット長だけ遅らせた位置に変更すると、フレーム信号８１はフェージング設定の切替処理の影響を受けず、フレーム信号８２のみにその影響を受けるようにすることができる。したがって、オフセット長を設けることにより、オフセット長を設けない場合よりも、フェージング設定の切替処理の影響を受ける可能性を特定のフレームのみに留めることができて好ましい。
【００８５】
このとき、試験者は、フェージング設定の切替位置に該当するフレーム信号（図８（ｂ）ではフレーム信号８２）を試験評価の対象から外すようにすればよい。例えば、該当するフレーム信号にはダミーデータを入れたり、該当するフレーム信号を廃棄したりすることができる。これにより、移動通信端末試験システム１は、通信性能の評価の精度を向上させることができる。
【００８６】
なお、図８（ｂ）に示した例では、フェージング設定＃２が設定されるフレーム信号のうち、先頭のフレーム信号８２の期間内でフェージング設定の切替処理を行うものであるが、例えば、図８（ｃ）に示すように、フェージング設定＃１が設定されるフレーム信号のうち、最終のフレーム信号の期間内でフェージング設定の切替処理を行うようにしてもよい。
【００８７】
次に、ステップＳ３０の測定処理（図４参照）について、スループット測定の場合と、ＢＥＲ測定の場合と、を例に挙げて説明する。
【００８８】
まず、スループット測定の場合について、図９を用いて説明する。
【００８９】
基地局模擬装置１０の送信部１２は、フェージング効果が付加された所定の試験信号を移動通信端末２に送信する（ステップＳ３１）。なお、送信する試験信号の内容は、特に限定されない。
【００９０】
受信部１４は、送信部１２のデータ送信に対して移動通信端末２が送信する、受信成功の可否を示すＡＣＫ信号又はＮＡＣＫ信号を受信する（ステップＳ３２）。
【００９１】
測定部１５は、ＡＣＫ信号又はＮＡＣＫ信号の受信数からスループットを算出する（ステップＳ３３）。例えば、測定部１５は、ＡＣＫの数／（ＡＣＫの数＋ＮＡＣＫの数）×１００として、受信成功率を算出する。測定部１５は、さらに、算出した受信成功率と、予め設定された閾値とを比較して合否判定を行ってもよい。ここで、試験者は、予め測定部１５に対し、受信成功率の算出対象から除外するフレームを指定することができる。つまり、前述したオフセットの調整により、特定のフレームでフェージング効果を付加する設定の切り替えが行われるようにした場合に、このフレームを受信成功率の算出対象から除外するように指定する。そして、測定部１５は、指定されたフレームを除外して、受信成功率の算出を行う。
【００９２】
次に、ＢＥＲ測定の場合について、図１０を用いて説明する。この場合は、図１に示した基地局模擬装置１０において、試験信号発生部１１は、生成した試験信号をフェージングシミュレータ２０及び測定部１５に出力する。なお、試験信号発生部１１が試験信号を予め記憶しておく構成としてもよい。
【００９３】
基地局模擬装置１０の送信部１２は、フェージング効果が付加された試験信号を移動通信端末２に送信する（ステップＳ４１）。
【００９４】
移動通信端末２は、受信した試験信号を復調して復号した後、得られた試験信号をそのまま符号化して変調した後、基地局模擬装置１０に送信する（ステップＳ４２）。
【００９５】
基地局模擬装置１０の受信部１４は、移動通信端末２から受信した試験信号を復調して復号した後、測定部１５に出力する（ステップＳ４３）。
【００９６】
測定部１５は、試験信号発生部１１からの試験信号と、受信部１４からの試験信号とを照合して、エラーレートを算出する（ステップＳ４４）。算出したエラーレートは、図示しない表示部に表示される。なお、測定部１５は、算出したエラーレートと予め設定された閾値とを比較して、合否判定を行ってもよい。ここで、試験者は、予め測定部１５に対し、エラーレートの算出対象から除外するフレームを指定することができる。つまり、前述したオフセットの調整により、特定のフレームでフェージング効果を付加する設定の切り替えが行われるようにした場合に、このフレームをエラーレートの算出対象から除外するように指定する。そして、測定部１５は、指定されたフレームを除外して、エラーレートの算出を行う。
【００９７】
以上のように、本実施形態における移動通信端末試験システム１は、入力信号のフレーム位置を検出したタイミングでフェージング効果を付加する設定を切り替えるので、フェージング効果を付加する設定の切り替えをフレームに同期して行うことができ、試験信号の不連続性の影響を低減し、移動通信端末の通信性能の評価の精度を向上することができる。
【００９８】
すなわち、設定の切り替えをフレームの先頭に合わせて行うことにより、設定の切り替えにより生じる試験信号の不連続性の影響を無くすことができるので、評価の精度を向上することができる。または、設定の切り替えを特定のフレームで行うようにオフセットを調整することにより、試験信号の不連続性の影響をこの特定のフレームのみに留めることができる。そして、設定の切り替えの度に生じるこの特定のフレームを評価の対象外とすることにより、評価の精度を向上することができる。
【００９９】
（第２実施形態）
まず、本発明に係るフェージングシミュレータの第２実施形態における構成について説明する。
【０１００】
図１１に示すように、本実施形態におけるフェージングシミュレータ１００は、第１実施形態におけるフェージングシミュレータ２０（図１参照）の構成を一部変更したものである。したがって、第１実施形態と異なる点を主に説明し、第１実施形態と同様な構成には同一の符号を付してその説明を省略する。なお、フェージングシミュレータ１００と、図１に示した基地局模擬装置１０とにより、移動通信端末試験システムが構成される。
【０１０１】
フェージングシミュレータ１００は、オフセット判定部１０１、フレームタイミング生成部１１０を備えている。フレームタイミング生成部１１０は、サンプルカウンタ１１１、フレーム判定部１１２を備えている。このフレームタイミング生成部１１０は、本発明に係るフレーム位置検出手段を構成する。
【０１０２】
サンプルカウンタ１１１は、基地局模擬装置１０（図１参照）から入力する入力信号のサンプル数をカウントするようになっている。カウントしたサンプル数のデータは、オフセット判定部１０１及びフレーム判定部１１２に入力される。サンプルカウンタ１１１のサンプル値は、後述するフレーム判定部１１２からのフレームラッチ信号の立ち上がりでクリアされる。
【０１０３】
オフセット判定部１０１は、サンプルカウンタ１１１がカウントしたサンプルのカウント数のデータと、設定部２２が設定したオフセット長を示すデータとを入力するようになっている。そして、オフセット判定部１０１は、サンプルのカウント数とオフセット長とを比較して、両者が等しくなったとき、オフセットセットパルスを後述するフレーム判定部１１２に出力するようになっている。また、オフセット判定部１０１は、設定部２２によってオフセット長の設定が変更されたとき、サンプルのカウント数と変更されたオフセット長とを比較して、両者が等しい又はサンプルのカウント数が大きいときに、オフセットパルスを後述するフレーム判定部１１２に出力するようになっている。
【０１０４】
フレーム判定部１１２は、サンプルカウンタ１１１がカウントしたサンプルのカウント数のデータと、設定部２２が設定したオフセット長を示すデータと、オフセット判定部１０１からのオフセットパルスとを入力するようになっている。そして、フレーム判定部１１２は、サンプルのカウント数とフレーム長とを比較して、両者が等しくなったとき、フレームラッチ信号を出力するようになっている。
【０１０５】
また、フレーム判定部１１２は、オフセットパルスを入力したとき、フレームラッチ信号がイネーブルであれば、フレームパルスを出力するようになっている。フレームラッチ信号は、フレームパルスの立ち上がりでクリアされる。オフセット長が変更されるタイミングによっては、１フレーム中にオフセットパルスが２回出力される場合があるが、フレーム判定部１１２は、フレームラッチ信号がイネーブルか否かを判定することにより、１フレーム中に複数回フレームパルスが出力されることを防止している。
【０１０６】
次に、動作について説明する。図１２は、フレーム長が１０サンプルのとき、試験実行中にオフセット長を４から７に変更した場合の、フェージングシミュレータ１００の動作を示すタイミングチャートである。
【０１０７】
サンプルカウンタ１１１のカウント数が１０になると、フレームラッチ信号がイネーブルとなり、それに伴ってサンプルカウンタ１１１のカウント数がクリアされ、また１からカウントされる。
【０１０８】
オフセット長が４に設定されている状態では、サンプルカウンタ１１１のカウント数が４になると、オフセット判定部１０１はオフセットパルスを出力する。
【０１０９】
フレーム判定部１１２は、オフセットパルスが入力されたとき、フレームラッチ信号がイネーブルであれば、フレームパルスを出力する。このフレームパルスにより、フレームラッチ信号はクリアされる。
【０１１０】
ここで、オフセット長が４→７に変更されたとする。オフセット長が７に設定されているので、サンプルカウンタ１１１のカウント数が７になると、オフセット判定部１０１はオフセットパルスを出力する。
【０１１１】
フレーム判定部１１２は、オフセットパルスが入力されたとき、フレームラッチ信号がイネーブルであれば、フレームパルスを出力する。このフレームパルスにより、フレームラッチ信号はクリアされる。
【０１１２】
以上のように、本実施形態におけるフェージングシミュレータ１００は、試験実行中にオフセット長を変更できるという効果を有する。
【産業上の利用可能性】
【０１１３】
以上のように、本発明に係るフェージングシミュレータ、移動通信端末試験システム及びフェージングシミュレーション方法は、試験信号の不連続性の影響を低減することができるという効果を有し、携帯電話やモバイル端末等の移動通信端末に対して電波伝搬環境を模擬するフェージングシミュレータ、移動通信端末試験システム及びフェージングシミュレーション方法として有用である。
【符号の説明】
【０１１４】
１  移動通信端末試験システム
２  移動通信端末（被測定装置）
１０  基地局模擬装置
１１  試験信号発生部（デジタル信号出力手段）
１２  送信部（送信手段）
１３  デジタルＢＢＩＦ
１４  受信部（受信手段）
１５  測定部（測定手段）
２０、１００  フェージングシミュレータ
２１  操作部
２２  設定部
２３  表示部
２４  フェージング演算部
３０  オフセットタイミング生成部（オフセット手段）
３１  オフセットカウンタ
３２、１０１  オフセット判定部
４０、１１０  フレームタイミング生成部（フレーム位置検出手段）
４１、１１１  サンプルカウンタ
４２、１１２  フレーム判定部
５０  設定変更サイクル生成部
５１  サイクルカウンタ
５２  設定変更サイクル判定部
６０  フェージング設定バッファ部（フェージング設定データ記憶手段）
６１〜６８  フェージング設定バッファ部
７０  フェージング選択部（切替手段）
７１  設定変更カウンタ
７２  セレクタ
８１、８２  フレーム信号
【図１】
0005554800.tif 000002
【図２】
0005554800.tif 000003
【図３】
0005554800.tif 000004
【図４】
0005554800.tif 000005
【図５】
0005554800.tif 000006
【図６】
0005554800.tif 000007
【図７】
0005554800.tif 000008
【図８】
0005554800.tif 000009
【図９】
0005554800.tif 000010
【図１０】
0005554800.tif 000011
【図１１】
0005554800.tif 000012
【図１２】
0005554800.tif 000013